【手続補正書】
【提出日】平成24年9月7日(2012.9.7)
【手続補正１】
【補正対象書類名】明細書
【補正対象項目名】０００１
【補正方法】変更
【補正の内容】
【０００１】
本発明は、表示されたテキストに含まれる文字列について辞書検索を行なう電子機器及びプログラムに関する。
【手続補正２】
【補正対象書類名】明細書
【補正対象項目名】０００７
【補正方法】変更
【補正の内容】
【０００７】
本発明は前記のような点に鑑みなされたもので、テキスト閲覧中に、テキスト中の文字列について容易に所望の種類の辞書情報を表示することのできる電子機器及びプログラムを提供することを目的とする。
【手続補正３】
【補正対象書類名】明細書
【補正対象項目名】０００８
【補正方法】変更
【補正の内容】
【０００８】
本発明の請求項１に係る電子機器は、表示部と辞書機能を備えた電子機器において、見出し語と説明情報が単語毎に対応付けられた複数の異なる辞書を記憶する辞書記憶手段と、テキストを記憶するテキスト記憶手段と、このテキスト記憶手段に記憶されたテキストに対応付けて、前記辞書記憶手段に記憶された各辞書の中から検索対象とする辞書と、その辞書の説明情報のうち表示させる情報の種類である表示種類とを設定する辞書・表示種類設定手段と、テキスト表示指示に従って、前記テキスト記憶手段から選択されたテキストを読み出して前記表示部に表示するテキスト表示手段と、このテキスト表示手段によって表示されたテキストに含まれる文字列について、前記辞書・表示種類設定手段によって当該テキストに設定された辞書を検索する辞書検索手段と、この辞書検索手段によって前記文字列に対応した見出し語が検索された場合に、当該見出し語の説明情報のうち前記辞書・表示種類設定手段によって設定された表示種類に対応する種類の情報を読み出して前記表示部に表示する情報表示手段と、を具備したことを特徴とする。
【手続補正４】
【補正対象書類名】明細書
【補正対象項目名】００１０
【補正方法】変更
【補正の内容】
【００１０】
また、本発明の請求項３は、前記請求項１記載の電子機器において、メイン画面と、このメイン画面とは物理的に異なる位置にサブ画面とが前記表示部に設けられており、前記テキスト表示手段は、前記選択されたテキストを前記メイン画面に表示し、前記情報表示手段は、前記設定された表示種類に対応する種類の情報を前記サブ画面に表示し、前記メイン画面に表示されたテキストの中で前記辞書検索手段によって見出し語が検索された文字列を識別表示する識別表示手段を備え、前記情報表示手段は、前記識別表示手段によって識別表示された文字列の指定操作に伴い、対応する見出し語の説明情報のうち前記辞書・表示種類設定手段によって設定された表示種類に対応する種類の情報を読み出して前記サブ画面に表示することを特徴とする。
【手続補正５】
【補正対象書類名】明細書
【補正対象項目名】００１４
【補正方法】変更
【補正の内容】
【００１４】
本発明の請求項７に係るプログラムは、表示部と、見出し語と説明情報が単語毎に対応付けられた複数の異なる辞書を記憶する第１のメモリと、テキストを記憶する第２のメモリとを備えた電子機器を制御するためのコンピュータによって実行されるプログラムであって、前記コンピュータに、前記第２のメモリに記憶されたテキストに対応付けて、前記第１のメモリに記憶された各辞書の中から検索対象とする辞書と、その辞書の説明情報のうち表示させる情報の種類である表示種類とを設定する機能と、テキスト表示指示に従って、前記第２のメモリから選択されたテキストを読み出して前記表示部に表示する機能と、この表示されたテキストに含まれる文字列について、当該テキストに設定された辞書を検索する機能と、この辞書検索により前記文字列に対応した見出し語が検索された場合に、当該見出し語の説明情報のうち前記設定された表示種類に対応する種類の情報を読み出して前記表示部に表示する機能と、を実現させることを特徴とする。
【手続補正６】
【補正対象書類名】明細書
【補正対象項目名】００１５
【補正方法】変更
【補正の内容】
【００１５】
本発明によれば、テキストに対して自動検索したい辞書と説明情報中の表示させる情報の種類とを設定しておけば、ユーザによる辞書検索の操作を必要とせずに、表示中のテキストに応じて設定した辞書を自動検索し、その検索された見出し語の情報のうちユーザ設定の種類の表示情報を、表示することができる。これにより、テキスト中の文字列について容易に所望の種類の辞書情報を視認することができる。
【手続補正７】
【補正対象書類名】特許請求の範囲
【補正対象項目名】全文
【補正方法】変更
【補正の内容】
【特許請求の範囲】
【請求項１】
表示部と辞書機能を備えた電子機器において、
見出し語と説明情報が単語毎に対応付けられた複数の異なる辞書を記憶する辞書記憶手段と、
テキストを記憶するテキスト記憶手段と、
このテキスト記憶手段に記憶されたテキストに対応付けて、前記辞書記憶手段に記憶された各辞書の中から検索対象とする辞書と、その辞書の説明情報のうち表示させる情報の種類である表示種類とを設定する辞書・表示種類設定手段と、
テキスト表示指示に従って、前記テキスト記憶手段から選択されたテキストを読み出して前記表示部に表示するテキスト表示手段と、
このテキスト表示手段によって表示されたテキストに含まれる文字列について、前記辞書・表示種類設定手段によって当該テキストに設定された辞書を検索する辞書検索手段と、
この辞書検索手段によって前記文字列に対応した見出し語が検索された場合に、当該見出し語の説明情報のうち前記辞書・表示種類設定手段によって設定された表示種類に対応する種類の情報を読み出して前記表示部に表示する情報表示手段と、
を具備したことを特徴とする電子機器。
【請求項２】
前記テキスト記憶手段には、複数の異なるテキストが記憶されており、
前記辞書・表示種類設定手段は、これらのテキストの中で任意に選択されたテキストに対して検索対象とする辞書と表示種類を設定することを特徴とする請求項１記載の電子機器。
【請求項３】
メイン画面と、このメイン画面とは物理的に異なる位置にサブ画面とが前記表示部に設けられており、
前記テキスト表示手段は、前記選択されたテキストを前記メイン画面に表示し、
前記情報表示手段は、前記設定された表示種類に対応する種類の情報を前記サブ画面に表示し、
前記メイン画面に表示されたテキストの中で前記辞書検索手段によって見出し語が検索された文字列を識別表示する識別表示手段を備え、
前記情報表示手段は、前記識別表示手段によって識別表示された文字列の指定操作に伴い、対応する見出し語の説明情報のうち前記辞書・表示種類設定手段によって設定された表示種類に対応する種類の情報を読み出して前記サブ画面に表示することを特徴とする請求項１記載の電子機器。
【請求項４】
前記表示種類には画像を含み、
前記情報表示手段は、前記サブ画面上で前記表示種類として表示された画像が選択された際に、当該辞書から前記画像に対応した見出し語の説明情報の本文を読み出して前記メイン画面に表示することを特徴とする請求項１記載の電子機器。
【請求項５】
前記辞書・表示種類設定手段は、第１および第２の辞書を検索対象として設定する共に、それぞれに表示種類を設定するための設定項目を有し、
前記情報表示手段は、前記辞書・表示種類設定手段によって設定された前記第１の辞書で検索した見出し語について、さらに前記第２の辞書を検索することにより、前記第１および第２の辞書のそれぞれから得られた表示種類の情報を並べて前記サブ画面に表示することを特徴とする請求項１記載の電子機器。
【請求項６】
前記辞書記憶手段に記憶された各辞書には、学習対象とする単語が登録された特殊辞書を含み、
前記辞書・表示種類設定手段によって前記特殊辞書が検索対象として設定されている場合に、前記情報表示手段によって前記サブ画面上に表示された前記特殊辞書に登録された単語に関する情報の確認操作に伴い、当該単語を学習済みとして登録する学習単語登録手段をさらに具備したことを特徴とする請求項１記載の電子機器。
【請求項７】
表示部と、見出し語と説明情報が単語毎に対応付けられた複数の異なる辞書を記憶する第１のメモリと、テキストを記憶する第２のメモリとを備えた電子機器を制御するためのコンピュータによって実行されるプログラムであって、
前記コンピュータに、
前記第２のメモリに記憶されたテキストに対応付けて、前記第１のメモリに記憶された各辞書の中から検索対象とする辞書と、その辞書の説明情報のうち表示させる情報の種類である表示種類とを設定する機能と、
テキスト表示指示に従って、前記第２のメモリから選択されたテキストを読み出して前記表示部に表示する機能と、
この表示されたテキストに含まれる文字列について、当該テキストに設定された辞書を検索する機能と、
この辞書検索により前記文字列に対応した見出し語が検索された場合に、当該見出し語の説明情報のうち前記設定された表示種類に対応する種類の情報を読み出して前記表示部に表示する機能と、
を実現させることを特徴とするプログラム。